(57)【要約】【課題】  壁掛け型エアコンの室内機を設置した状態で、室内機を包み込む軟質性防水カバーから排液を漏らさずに安心して作業するには、信頼度の高い専用の洗浄カバーが必要である。従来の天吊り型あるいは天吊り型のエアコン用洗浄カバーの流用では無理があり、信頼性に欠ける。【解決手段】  下記の手段を発明することにより信頼性の高いエアコンの洗浄カバーを提供する。（１）洗浄カバーの前面に透明性のビニル樹脂を選定、該前面の中央部にノズルを挿入する孔を備える。（２）孔の部分に防水性の開閉自在のファスナーを水平方向（エアコンの横方向）に装着する。（３）洗浄カバー前面の内側四隅に防水強化のシール剤を注入する。（４）洗浄時に飛散する排液が洗浄カバーから漏れるのを防止する垂れ幕を洗浄カバーの内側の上面及び前面に取り付ける。（５）洗浄カバーの外側、上面の奥行き方向の両端にマジックテープを接着加工、該マジックテープに対応する一対のマジックテープ付の天板により洗浄カバー全体を吊り下げる状態で支持する。【選択図】  図１
2005098662.tif 000002
【特許請求の範囲】
【請求項１】
室内機と室外機を分離して設置する壁掛け型エアコンディショナ（以下、エアコンと略す）の室内機の熱交換機アルミフィンと送風ファンとを室内機に設置した状態で洗浄する方法において、室内機全体を包み込む軟質性防水カバーの前面中央部付近に洗浄機のノズルを挿入する孔を備え、かつ該前面を室内機が目視できる透明な素材で構成することを特徴とするエアコンの洗浄カバー。
【請求項２】
前記洗浄カバーの該前面部の中央付近に設けた洗浄機ノズルの挿入孔を開閉自在の防水性のファスナーで構成することを特徴とするエアコンの洗浄カバー。
【請求項３】
前記洗浄カバーの該前面の内側四隅にシール剤を注入したことを特徴とするエアコンの洗浄カバー。
【請求項４】
前記洗浄カバー内部の上面及び前面に防水用の垂れ幕を備えたことを特徴とするエアコンの洗浄カバー。
【請求項５】
前記洗浄カバーの外部の上面、奥行き方向の両端部にマジックテープ（クラレの商品名）を加工装着する。該マジックテープに対応する一対のマジックテープを貼り付けてある天板により、洗浄カバー全体を吊り下げる支持方法を提供することを特徴とするエアコンの洗浄カバー。
【発明の詳細な説明】
【技術分野】
【０００１】  本発明は室内機と室外機とに分離した壁掛け型エアコンディショナの洗浄カバーに関する。
【背景技術】
【０００２】  エアコンの熱交換機アルミフィンや送風ファンの洗浄は前面パネルを取り外して行われるが、雑巾による払拭清掃やスプレー缶での洗浄では不十分である。これらの洗浄についての特許をすでに登録（特許文献１）している。以下、図１により特許文献１の技術を説明する。図１の洗浄装置は室内機を包み込む軟質防水性の洗浄カバー１と、排水ホース５により該洗浄カバー１の下部１ｄに接続されて洗浄後の排液を受ける排液回収容器１２と、異なる洗浄液を貯える少なくとも２つの洗浄液容器１０，１１と、分岐水栓７及び洗浄ポンプ６を介して一つの洗浄液容器内の洗浄液を該洗浄カバーの前面（作業者側の面）のノズル３の挿入孔１ａを通して前記室内機に洗浄薬液を噴射するノズル３と、制御回路８を介してポンプ及び分岐水栓を作動するコントローラ４とを含み該コントローラ４は該ノズル３に備えられていることを特徴としている。【０００３】  上記特許以外のエアコン洗浄に関するものは、主として大型の天埋め型あるいは天吊り型のエアコンを対象にした特許が数件出願（例えば、特許文献２，３，４，５）されている。いずれの特許も漏斗状あるいは室内機を包み込む形状の軟質防水性の素材による洗浄カバーを使用してエアコン室内機を設置した状態で洗浄することを特徴にしている。【０００４】  特許文献２では漏斗状の捕捉部をエアコンの下部に取り付けて、洗浄排液を該捕捉部で受け止め排水ホースを介して排水収納容器に回収している。【０００５】  特許文献３ではケーシングの形状に合わせ着脱自在の係合部材を用いてホッパーを密着して取り付けることを特徴にしている。【０００６】  特許文献４では漏斗状のホッパーの一部に防水ファスナーで開閉自在の開口部を設けたことを特徴にしている。【０００７】  特許文献５では洗浄カバーの上端縁部にゴム紐を介在して伸縮開口自在の開口部を設けたことを特徴としている。
【特許文献１】    特許第３４０６０３８号  公報
【特許文献２】    特開平０９−１１９７９７号  公報
【特許文献３】    特開平０４−３６３５９７号  公報
【特許文献４】    特開平０４−３６３６９８号  公報
【特許文献５】    特許第３３２５２５９号  公報
【発明の開示】
【発明が解決しようとする課題】
【０００８】  従来の方法（特許文献２，３，４，５）は主として天井に設置した天埋め型あるいは天吊り型エアコンを対象にしたものである。これらを壁掛け型エアコンに適用するには、無理があり、仮にこれらの洗浄カバーを流用して壁掛け型エアコンの洗浄に利用した場合は、周辺に排液を漏らすなど安全性に問題があった。本発明では、これらの問題を解決した壁掛け型エアコンに最適な完全密封の洗浄カバーを提供するにある。
【課題を解決するための手段】
【０００９】  上記目的を達成するため、本発明による洗浄方法は壁掛け型エアコンを包み込む軟質防水性の洗浄カバーの前面、中央付近に洗浄機のノズルを挿入する孔を備え、かつ該前面を該洗浄機内部が見える透明な素材、例えば、ビニル樹脂などで構成するものである。このような構成のエアコン洗浄カバーとすることにより、作業者は、該ノズル挿入孔からノズルを挿入して、洗浄すべきアルミフィンや送風ファンの汚れを目視しながら洗浄作業を行うことができる。なお、該前面の孔の大きさはノズルが挿入できる程度の大きさ、１５０〜３００ｍｍが適当である。【００１０】  第２の解決手段は、該前面の中央部、水平方向（エアコン設置の横方向）に開口幅３００〜６００ｍｍの防水性ファスナーを備えることである。洗浄の際には、該ファスナーを操作して開口、ノズルを挿入して、熱交換機の洗浄すべき部分に洗浄薬液を噴射している。標準的な洗浄カバーの大きさは、幅９００ｍｍ、高さ６００ｍｍ、奥行き５００ｍｍ位である。これは標準的な家庭用壁掛け型エアコン（幅８００ｍｍ、高さ３００ｍｍ、奥行き２００ｍｍ前後の大きさ）を対象にした場合の大きさである。なお標準のエアコンより大型のエアコンに対しては、幅１５００ｍｍ、高さ６００ｍｍ、奥行き５００ｍｍ前後の大きさの洗浄カバーを用意する必要がある。【００１１】  第３の解決手段は、前記洗浄カバー前面の内側四隅に防水強化のためのシール剤あるいはコーキング剤などを注入することである。これにより、ビニル樹脂の繋ぎ目からの排液の漏れを防止して耐久性を向上している。【００１１】  第４の解決手段は、洗浄カバーの内側の上面に幅６００ｍｍ、長さ１０ｍｍ前後の垂れ幕を室内機の横方向に平行して備えることである。該垂れ幕は噴射時の飛散した排液が洗浄カバーの内側上面のビニル樹脂を伝わって前面の孔から洗浄カバーの外に垂れるのを防止するための部材である。さらに洗浄液がファスナー開口部から外に漏れるのを防止するため、前面のファスナー上面の内側に、ファスナー開口部を覆うビニル樹脂の垂れ幕を取り付ける。これにより、開口部ファスナーからの飛散する排液の漏れを防止している。【００１２】  第５の解決手段は、洗浄カバーの外側上面の奥行き方向（作業者に対して）の両端に幅５０ｍｍ位のマジックテープ（クラレの商品名）を貼り付け、該マジックテープの対応する一対のマジックテープを貼り付けた天板を用いて洗浄カバーを吊り下げる状態で洗浄カバー全体を支持する方法である。天板の大きさは、幅８００ｍｍ、奥行き３００ｍｍ、厚さ５ｍｍ位の軽い、剛性のあるビニル樹脂で製作する。該天板の奥行き方向の両端には５０ｍｍ幅のマジックテープを貼り付けてある。洗浄カバーと該天板はマジックテープの作用により、絡まりしっかりと保持される。これにより、洗浄カバー内部でのノズルの操作に必要な空間を確保して、洗浄作業を円滑に安全に行えるようにしている。
【発明の効果】
【００１３】  上記したように本発明では、室内機を包み込む洗浄カバーに請求項第１〜５の発明を行うことにより、図１に示した洗浄装置で高圧ポンプによる洗浄においても、洗浄後の排液を飛散して洗浄カバーの外に漏らすことがなく、安全に洗浄作業を行うことができる効果がある。
【発明を実施するための最良の形態】
【００１４】  以下、本発明の実施の形態を図１〜図７に基づいて説明する。【００１５】  図１においては、１は洗浄カバー、２は洗浄機、洗浄機２はポンプ６及び分岐水栓７、リモコン４及び制御回路８から構成される。１０，１１は洗浄液容器、１２は排液回収容器、５は排水ホースである。洗浄カバー１は、全体を軟質防水性のビニル樹脂を採用している。該洗浄カバーの前面部１ｃは透明なビニル樹脂である。該前面の中央部にはノズル３を挿入する孔１ａを備えている。排水ホース５は１ｄ部でワンタッチ（たとえば、全自動洗濯機の給水栓とのワンタッチ接続方式を採用する）で着脱できるようにしてある。なお、３０はエアコン室内機、３１は熱交換機アルミフィン、３２は送風ファン、３３はエアコンの制御基盤である。【００１６】  図２は第２の実施例である。前記ノズルを挿入する孔１ａ部を防水ファスナー１ｂで構成したものである。ファスナー１ｂは開閉自在であるので、ノズル３を挿入後作業者の手に合わせて任意に閉じることができる。かつその位置も水平方向、左右に移動できるので、汚れのひどい位置の正面にノズルを移動して洗浄作業を行うことができる。【００１７】  図３は第３の実施例である。洗浄カバー１の前面の内側四隅にシール剤１ｆを注入することにより、排液が洗浄カバー１から漏れ出す危険を小さくしている。【００１８】  図４は第４の実施例である。ノズル３からの噴射後の飛散する排液が洗浄カバー１から漏れ出ることを防止する手段を提供している。すなわち洗浄カバー１の内側上面に幅６００ｍｍ、高さ数拾ｍｍの排液飛散防止の垂れ幕１ｅを備えている。図５は、図４のＡ−Ａ断面図である。垂れ幕をループ状にして形成してある。図６は、前面１ｃにおける実施例のＢ−Ｂ断面図である。図４に示した該ファスナー１ｂを覆う垂れ幕１ｆをファスナー１ｂの上部に取り付けてある。【００１９】  図７は第５の実施例である。洗浄カバー１の外部上面の奥行き方向両端に幅５０ｍｍのマジックテープ４１，４２を貼り付け加工したものである。４０は天板で、該洗浄カバーの外部上面に貼り付けたマジックテープ４１，４２に対応する一対のマジックテープ４３，４４を天板４０に貼り付けてある。天板４０のマジックテープ４３，４４が前記洗浄カバー上面に貼ってあるマジックテープ４１，４２に絡み付くことにより、該洗浄カバー１を支え、洗浄に必要なスペースを確保して、洗浄作業が円滑に行えるようにするものである。次に本発明の具体的な使用方法を説明する。洗浄カバー１の縁は室内機３０の周辺に設置する。その際前記の天板４０を室内機上面に一緒に設置する。室内機周辺部に設置された洗浄カバーとエアコンの上面に設置した天板をゴムバンドと締め付けバンドの両方で締め付けて固定する。洗浄カバー１は天板４０に吊り下がった状態で保持される。以上のようにいずれの方法も洗浄後の排液が洗浄カバー１の外に漏れ出る危険を最小にしている。これらの発明により安全性の高いエアコン室内機の洗浄作業を行うことができる。
【図面の簡単な説明】
【００２０】
【図１】本発明第１の実施形態を示す構成図
【図２】本発明第２の実施形態を示す構成図
【図３】本発明第３の実施形態を示す構成図
【図４】本発明第４の実施形態を示す構成図
【図５】本発明第４の実施形態を示す構成図のＡ−Ａ断面図
【図６】本発明第４の実施形態の応用実施形態を示す構成図のＢ−Ｂ断面図
【図７】本発明第５の実施形態を示す構成図
【符号の説明】
【００２１】    １  洗浄カバー
２  洗浄機
３  洗浄機のノズル
４  コントローラ
５  排水ホース
６  洗浄ポンプ
７  分岐水栓
８  制御回路
１０，１１  洗浄液容器
１２  排液回収容器
３０  エアコン室内機
１ａ  ノズルを挿入する孔
１ｂ  ファスナー
１ｄ  ワンタッチ接続部
１ｅ、  シール剤
１ｆ、１ｇ  漏れ防止の垂れ幕
４０  天板
４１，４２，４３，４４  マジックテープ
【図１】
2005098662.tif 000003
【図２】
2005098662.tif 000004
【図３】
2005098662.tif 000005
【図４】
2005098662.tif 000006
【図５】
2005098662.tif 000007
【図６】
2005098662.tif 000008
【図７】
2005098662.tif 000009